(57)【要約】【課題】  ズボン生地あるいはその裏地や、ジーパン等のように生地が厚く柔軟性に欠けるズボンを着用することによって生じる腹部、臀部、股関節及び下肢の肌荒れから、特にデリケートな女性の肌を防止するためのスキンケアパンツを提供することを目的とする。【解決手段】  ズボン着用の際に使用するスキンケアパンツにおいて、素材は天然繊維あるいは化学繊維のいずれか、あるいは両者の混合繊維を使用し、該繊維類の繊維度は５０〜１５０デニール相当であり、ウエスト開口部にゴムあるいは紐等を通すことにより、ウエスト部を伸縮調整自在としたベルト部を有し、丈が略膝までとする。【選択図】  図１
0003109915.tif 000002
【実用新案登録請求の範囲】
【請求項１】
ズボン着用の際に使用するスキンケアパンツにおいて、
素材は、天然繊維又は化学繊維のいずれか、あるいは両者の混合繊維を使用し、
該繊維類の繊度は１０〜１５０デニール相当であり、
ウエスト開口部にゴムあるいは紐等を通すことにより、ウエスト部を伸縮調整自在としたベルト部を有し、
丈が略膝までであることを特徴とするスキンケアパンツ。
【請求項２】
請求項１に記載のスキンケアパンツにおいて、
ベルト部が伸縮性素材からなることを特徴とするスキンケアパンツ。
【請求項３】
請求項１又は２のいずれかに記載のスキンケアパンツにおいて、
下半身の体型に密着する密着型であることを特徴とするスキンケアパンツ。
【請求項４】
請求項１又は２のいずれかに記載のスキンケアパンツにおいて、
大腿部より下に縦襞を有することにより、肌に完全に密着しない半密着型であることを特徴とするスキンケアパンツ。
【請求項５】
請求項１乃至４のいずれかに記載のスキンケアパンツにおいて、
裾開口部にゴムあるいは紐等を通すことにより、裾開口部を伸縮調整自在としたことを特徴とするスキンケアパンツ。
【請求項６】
請求項１乃至４のいずれかに記載のスキンケアパンツにおいて、
裾開口部が伸縮性素材からなることを特徴とするスキンケアパンツ。
【請求項７】
請求項１乃至５のいずれかに記載のスキンケアパンツにおいて、
ズボンの裏に取付けられ、ズボンと一体型となることを特徴とするスキンケアパンツ。
【考案の詳細な説明】
【技術分野】
【０００１】
本考案は、ズボン着用時にズボン生地と肌間で起こる摩擦等のために生じる肌荒れから、腹部、臀部、股関節及び下肢の肌を保護するためのスキンケアパンツに関する。
【背景技術】
【０００２】
現代において、ズボンは老若男女を問わず利用されるファッションアイテムである。最近では、以前に比べ様々な型のズボンが流通し、特に女性の間では着用の場が拡大していることもあり、人気はさらに高まっている。
【０００３】
様々な世代で利用されるズボンであるが、従来は素肌の上に着用するのが普通であった。その場合、ズボン生地あるいはその裏地と肌は直に接触し、時には摩擦が生じる。特にズボンの裏地はその大半が化学繊維であるため、静電気が発生しやすい。また、ジーパン等は生地に厚みがあり柔軟性に欠けるため、肌触りが良好ではない。上記の理由から、ズボン着用時には肌を保湿するために必要な肌表面の水分および脂肪分が失われ、腹部、臀部、股関節及び下肢の肌荒れの一因となっていた。
【考案の開示】
【考案が解決しようとする課題】
【０００４】
上記のような現状に鑑み、本考案は、ズボン生地あるいはその裏地によって発生する静電気や、ジーパン等のように生地が厚く柔軟性に欠けるズボンを着用することによって生じる腹部、臀部、股関節及び下肢の肌荒れから、特にデリケートな女性の肌を防止するためのスキンケアパンツを提供することを目的とする。
【課題を解決するための手段】
【０００５】
請求項１に係る考案は、素材は天然繊維あるいは化学繊維のいずれか、あるいは両者の混合繊維を使用し、該繊維類の繊度は１０〜１５０デニール相当であり、ウエスト開口部にゴムあるいは紐等を通すことにより、ウエスト部を伸縮調整自在としたベルト部を有し、丈が略膝までであることを特徴とする。
【０００６】
請求項２に係る考案は、ベルト部が伸縮性素材からなることを特徴とする。
【０００７】
請求項３に係る考案は、下半身の体型に密着する密着型であることを特徴とする。
【０００８】
請求項４に係る考案は、大腿部より下に縦襞を有することにより、肌に完全に密着しない半密着型であることを特徴とする。
【０００９】
請求項５に係る考案は、裾開口部にゴムあるいは紐等を通すことにより、裾開口部を伸縮調整自在としたことを特徴とする。
【００１０】
請求項６に係る考案は、裾開口部が伸縮性素材からなることを特徴とする
【００１１】
請求項７に係る考案は、ズボンの裏に取付けられ、ズボンと一体型となることを特徴とする。
【考案の効果】
【００１２】
以上の通り、本考案によるスキンケアパンツは、ズボンの裏地によって発生する静電気や、ジーパン等のように生地が厚く柔軟性に欠けるズボンを着用することによって生じる腹部、臀部、股関節及び下肢の肌荒れから、特にデリケートな女性の肌を保護することができる。
【００１３】
また、該スキンケアパンツは、使用する繊維がストッキングに用いられるような極細かつ超高強度を有するナイロン糸と同等の太さであるため非常に薄く、ズボンの下着として着用してももたつき感がない。
【００１４】
また、該スキンケアパンツには、下肢に密着する密着型と、襞を有することにより下肢に完全に密着しない半密着型があり、ウエスト及び裾開口部には、ゴム、紐等の他、伸縮性素材が利用可能である。さらには、膝から足首までの範囲で様々な丈に設定することが可能であるため、着用者は着用するズボンの形に合った該スキンケアパンツ、あるいは個人の好みに合った着用感と丈を有する該スキンケアパンツを選択することができる。
【００１５】
さらに、ズボンの裏に取り付けた一体型は、ズボンと該スキンケアパンツの着脱が同時にできるため便利である。
【考案を実施するための最良の形態】
【００１６】
以下、図面を参照して本考案の実施の形態について説明する。
図１は、本考案による密着型スキンケアパンツの正面図である。素材として使用する繊維については、好適には、肌荒れ防止効果が期待できる絹、木綿あるいは麻等の天然繊維を使用することが望ましい。しかし、静電気やしわが生じにくく、肌荒れ防止効果を有するものであれば前記繊維に限らず、その他の天然繊維あるいは化学繊維のいずれか、又は両者の混合繊維を使用することも可能である。
【００１７】
該繊維類の繊度は１０〜１５０デニール相当であればよいが、強度と厚さの点から、薄手のパンティストッキングから厚手のタイツに使用される繊度である２０〜８０デニール相当とするのが最も好適である。
【００１８】
該スキンケアパンツ着用時の位置を固定するために、ウエスト開口部にゴムあるいは紐等を通し、伸縮調整が自在に行うことができるベルト部２を設ける。ベルト部２は前述方法の他に、伸縮性素材を用いて設置してもよい。伸縮性素材とは、例えば、生地適部を縦方向に細かく蛇腹状にして伸縮機能を持たせたものをいう。いずれの素材を用いる場合でも、着用時に不快感や圧迫感を感じない程度で、かつ該スキンケアパンツ着用時に位置が固定するように設置することが望ましい。
【００１９】
形状は、該スキンケアパンツ着用時に下半身に密着するようなスパッツ状をなす。密着度は特に指定しないが、着用時に窮屈に感じない程度が好適である。
【００２０】
該スキンケアパンツの丈は、略膝までとし、膝から足首までの範囲であれば任意の長さで丈を設定することができる。
【００２１】
図２（Ａ）は、図１に示した該スキンケアパンツの大腿部より下から縦襞３を設けた半密着型スキンケアパンツである。このような縦襞を設けることにより、該スキンケアパンツの生地は素肌に密着しなくなるため、着用するズボンの形等により該スキンケアパンツの密着性が不必要である場合、あるいは下着の着用感や密着感を好まない人でも該スキンケアパンツを心地良く利用することができる。
【００２２】
また、図２（Ｂ）は、（Ａ）の応用形で、縦襞がボックスプリーツ型となっているものである。ボックスプリーツの場合、単純なプリーツよりも肌への接触面が小さくなるため、さらに該スキンケアパンツの着用感を減少させる効果がある。
【００２３】
該スキンケアパンツに用いるプリーツの形式は、着用時に著しい不快感や違和感を与えるものでなければ、図２（Ａ）あるいは（Ｂ）に示した形式に限定されるものではない。
【００２４】
図３は、該半密着型スキンケアパンツの裾開口部４にゴムあるいは紐等を設けたものである。このようにゴムあるいは紐等を設けることにより、該スキンケアパンツ着用時に裾が下肢に密着し、より良好な着用感や密着感を得ることができる。
【００２５】
ベルト部２と同様、裾開口部４も前述方法の他に、伸縮性素材を用いて設置してもよい。いずれの素材を用いる場合でも、着用時に不快感や圧迫感を感じない程度で、かつ該スキンケアパンツ着用時に裾位置が固定するように設置することが望ましい。
【００２６】
密着型スキンケアパンツの裾開口部にゴムあるいは紐等、あるいは伸縮性素材を設ける場合でも、図３と同様に設ける。
【００２７】
また、特に図示しないが、以上説明した本考案によるスキンケアパンツをズボン裏に取付け、ズボンと一体化した一体型であれば、ズボンと該スキンケアパンツの着脱が同時にできるため便利である。一体型にする方法は、着用時に著しい不便あるいは不快感が生じなければ、特に限定されない。
【００２８】
さらには、ズボンのカラーやデザインにコーディネートされたスキンケアパンツとすることにより、色彩的にもデザイン的にもズボンと統一されたものとすることが可能である。
【図面の簡単な説明】
【００２９】
【図１】本考案によるスキンケアパンツの実施例を示した概略的正面図である。
【図２】（Ａ）、（Ｂ）とも本考案によるスキンケアパンツの第２実施例を示した概略的正面図である。
【図３】本考案によるスキンケアパンツの第３実施例を示した概略的正面図である。
【符号の説明】
【００３０】
１  スキンケアパンツ
２  ウエスト開口部
３  縦襞
４  裾開口部
【図１】
0003109915.tif 000003
【図２】
0003109915.tif 000004
【図３】
0003109915.tif 000005